(57)【要約】【課題】感光体と潜像装置との位置関係を正確にするとともに、感光体および潜像装置のメインテナンス性を向上させること。【解決手段】本発明の画像形成装置は、感光体１と、画像データに基づくレーザ発光を走査して感光体１上に静電潜像を書き込む潜像装置２と、本体筐体Ａとを備えた画像形成装置において、感光体１の軸を支持する支持部材３ａと、潜像装置２を取り付ける配置部材３ｂとが形成されたフレーム３を有し、感光体１および潜像装置２はフレーム３に保持された状態で、本体筐体Ａに対して一括して挿入自在となっている。【選択図】図１
2004246374.tif 000002
【特許請求の範囲】
【請求項１】
感光体と、画像データに基づくレーザ発光を走査して前記感光体上に静電潜像を書き込む潜像装置と、本体筐体とを備えた画像形成装置において、
前記感光体の軸を支持する支持部材と、前記潜像装置を取り付ける配置部材とが形成されたフレームを有し、
前記感光体および前記潜像装置は前記フレームに保持された状態で、前記本体筐体に対して一括して挿入自在である
ことを特徴とする画像形成装置。
【請求項２】
前記フレームは、前記感光体の軸方向に挿入自在となっている
ことを特徴とする請求項１記載の画像形成装置。
【請求項３】
前記フレームは、前記感光体の軸方向における一方側においてはその感光体の軸により、他方側においては位置決めピンにより前記本体筐体に位置決めされている
ことを特徴とする請求項１または請求項２に記載の画像形成装置。
【請求項４】
前記支持部材と前記配置部材とは一体的に形成されている
ことを特徴とする請求項１から請求項３のうちいずれか１項に記載の画像形成装置。
【請求項５】
前記フレームは、前記感光体の一方側の軸を支持する第１の支持部材と、前記感光体の他方側の軸を支持する第２の支持部材とを有し、前記第１の支持部材と前記第２の支持部材と前記配置部材とが一体的に形成されている
ことを特徴とする請求項１から請求項３のうちいずれか１項に記載の画像形成装置。
【請求項６】
画像形成が行われる複数の色に各々対応する複数の前記フレームを有する
ことを特徴とする請求項１から請求項５のうちいずれか１項に記載の画像形成装置。
【請求項７】
前記複数の色は、シアン、マゼンタ、黄、黒である
ことを特徴とする請求項６記載の画像形成装置。
【発明の詳細な説明】
【技術分野】
【０００１】
本発明は、潜像装置から感光体上に静電潜像を書き込んで画像を所定の媒体へ記録する画像形成装置に関する。
【背景技術】
【０００２】
図５は従来の画像形成装置を説明する概略断面図である。この画像形成装置においては、本体筐体Ａに側板５を介して感光体１が取り付けられ、また本体筐体Ａに支持体６を介して潜像装置２が取り付けられた構成となっている。
【０００３】
感光体１の軸１ａはベアリングＢを介して側板５に挿入されており、感光体１を回転可能としている。また、側板５は位置決めピンＰ３を介して本体筐体Ａから着脱自在に取り付けられている。また、潜像装置２を支持する支持体６は、位置決めピンＰ４によって本体筐体Ａに取り付けられている。
【０００４】
また、特許文献１では、複数の光学系を同一の支持部材に固定する画像形成装置が開示されている。さらに、特許文献２では、上下分割型の画像形成装置において潜像装置と感光体軸との位置決めを行う構成が開示されている
【０００５】
【特許文献１】特開昭６４−７０７７４号公報
【特許文献２】特開平６−２４２６４３号公報
【発明の開示】
【発明が解決しようとする課題】
【０００６】
しかしながら、このような画像形成装置には次のような問題がある。すなわち、この画像形成装置では、潜像装置を支持体を介して本体筐体に取り付け、感光体を側板を介して本体筐体に取り付けていることから、潜像装置と感光体との距離の公差は、潜像装置−本体筐体−側板−感光体（軸）の各々の間で累積してしまい、製造装置と感光体とを精度よく位置決めするのが困難となっている。これによって、特にカラー画像形成装置においては、いわゆる色ずれが発生し、良好な画像を得ることが困難となっている。
【０００７】
例えば、側板を位置決めピンから外して感光体を本体筐体から抜き差しした際には、その装着状態によって潜像装置と感光体との位置関係に微妙なずれが生じてしまい、画質の劣化を招く原因となっている。
【０００８】
さらに、潜像装置と感光体との間が上記のごとく多数の部品を介して位置決めされていることから、潜像装置と感光体との間の強固な締結が得られず、相互に伝達する振動により画質の劣化を招くという問題が生じている。
【０００９】
また、特許文献１に記載の技術では、複数の光学系を同一の支持部材に固定する画像形成装置が開示されているが、潜像装置と感光体との間の高精度の位置決めや、強固な締結を得るものではなく、いわゆる色ずれや振動による画質の劣化を招いている。
【００１０】
また、特許文献２に記載の技術では、上下分割型の画像形成装置において潜像装置と感光体軸との位置決めを行う構成が開示されているが、上下分割型ではなく、感光体を水平方向へ引き出す画像形成装置には適用できないという問題がある。
【課題を解決するための手段】
【００１１】
本発明はこのような課題を解決するために成された画像形成装置である。すなわち、本発明は、感光体と、画像データに基づくレーザ発光を走査して感光体上に静電潜像を書き込む潜像装置と、本体筐体とを備えた画像形成装置において、感光体の軸を支持する支持部材と、潜像装置を取り付ける配置部材とが形成されたフレームを有し、感光体および潜像装置はフレームに保持された状態で、本体筐体に対して一括して挿入自在となっているものである。
【００１２】
このような本発明では、感光体と潜像装置とを本体筐体に対して一括して取り付け、取り外し自在に保持する保持部材によって、感光体と潜像装置との位置関係を維持したままこれらを本体筐体から抜き差しできるようになる。
【００１３】
また、感光体の軸を支持する支持部材と、潜像装置を取り付ける配置部材とが一体的に形成されていることから、感光体と潜像装置との間に複数の部材を介すことがなくなり、これらの位置関係を強固に保つことができるようになる。
【発明の効果】
【００１４】
したがって、本発明の画像形成装置によれば次のような効果がある。すなわち、本発明では、感光体の軸を支持する支持部材と、潜像装置を取り付ける配置部材とが一体的に形成されていることから、これらの位置関係を強固に保つことができるようになり、感光体と潜像装置とを精度良く位置決めすることが可能となる。
【００１５】
また、感光体と潜像装置との間での振動における伝達関数を改善でき、特にレーザ発光をミラー等によって走査して静電潜像を形成する画像形成装置において良好な画質を得ることが可能となる。さらに、感光体と潜像装置とを同時に引き出すことができ、メインテナンス性を向上させることが可能となる。
【発明を実施するための最良の形態】
【００１６】
以下に、本発明の画像形成装置における実施の形態を図に基づいて説明する。図１は、本発明の画像形成装置における第１実施形態を説明する概略断面図である。すなわち、第１実施形態における画像形成装置は、画像データに基づくレーザ発光をポリゴンミラー等によって走査して感光体１上に静電潜像を書き込む潜像装置２を備えたものであり、特に本実施形態では、感光体１の軸１ａを支持する支持部材３ａと、潜像装置２を取り付ける配置部材３ｂとが一体的なフレーム３として構成されている点に特徴がある。
【００１７】
感光体１の軸１ａの一方端は、このフレーム３における略垂直な板状体である一方側の支持部材３ａにベアリングＢを介して挿入され、他方端はフレーム３における略垂直な板状体である他方側の支持部材３ａおよび本体筐体ＡにベアリングＢを介して挿入されている。
【００１８】
また、潜像装置２は、フレーム３における略水平な板状体である配置部材３ｂ上に取り付けられている。
【００１９】
この感光体１および潜像装置２の両方を支持しているフレーム３は保持部材４を介して本体筐体Ａに取り付けられている。保持部材４は位置決めピンＰ１によって本体筐体Ａへ位置決めされており、フレーム３を介して感光体１および潜像装置２の配置位置を決めている。
【００２０】
このように潜像装置２と感光体１とが一体的なフレーム３で支持されていることにより、潜像装置２と感光体１との距離の公差が支持部材３ａと軸１ａとの間だけとなり、高精度の位置決めを行うことができるようになる。
【００２１】
また、一体的なフレーム３によって潜像装置２と感光体１とが強固に締結されていることから、潜像装置２や感光体１に振動が伝わっても潜像装置２と感光体１との間での振動における伝達関数が改善されることになる。
【００２２】
図２は感光体１および潜像装置２を取り付けたフレーム３の装着状態と取り外し状態とを示す概略斜視図で、（ａ）は装着状態、（ｂ）は取り外し状態を示している。
【００２３】
図２（ａ）に示すように、例えばカラー複写機のようにＣ（シアン）、Ｍ（マゼンタ）、Ｙ（黄）、Ｋ（黒）等の４つの潜像装置２が並ぶ場合、各々の潜像装置２が各フレーム３の配置部材３ｂに取り付けられ、この各フレーム３が保持部材４を介して本体筐体Ａに取り付けられた状態となっている。各保持部材４は位置決めピンＰ１、Ｐ２によって本体筐体Ａに位置決めされている。
【００２４】
また、各フレーム３は水平方向に沿って設けられるレールＲによって摺動できるようになっており、図２（ｂ）に示すように、フレーム３を本体筐体Ａから引き出して保持部材４が位置決めピンＰ１、Ｐ２から外れた状態でレールＲによって支持されるようになる。
【００２５】
フレーム３を本体筐体Ａから引き出すと、保持部材４が本体筐体Ａの位置決めピンＰ１、Ｐ２から外れるとともに、ベアリングＢが軸１ａから抜ける状態となる。この状態でフレーム３はレールＲによって支持され略水平方向へと引き出すことができるようになる。このフレーム３の引き出しによって、フレーム３に取り付けられた感光体１および潜像装置２も一緒に本体筐体Ａから取り外すことができる。
【００２６】
図３はフレームの取り外しの状態を（ａ）、（ｂ）の順で説明する概略断面図である。先ず、図３（ａ）に示すように、保持部材４を図中左方向（２点鎖線矢印参照）へ引き出すことで、保持部材４が本体筐体Ａの位置決めピンＰ１から外れるとともに、フレーム３の支持部材３ａに取り付けられたベアリングＢが軸１ａから抜ける状態となる。
【００２７】
次いで、図３（ｂ）に示すように、さらにフレーム３を引き出すことで図２に示すレールＲに沿ってフレーム３が略水平方向へ移動し、本体筐体Ａからフレーム３とともに潜像装置２が取り外され、また感光体１が軸１ａから外される状態となる。
【００２８】
このようにフレーム３を引き出すだけで感光体１と潜像装置２とが同時に引き出されることによって、本体筐体Ａ内の潜像装置２上部に配置される画像読み取り部（図示せず）等の各種部材に邪魔されることなく、潜像装置２や感光体１のメインテナンスを容易に行うことができるようになる。
【００２９】
次に、本発明の画像形成装置における第２実施形態を説明する。図４は画像形成装置における第２実施形態を説明する概略断面図である。すなわち、この画像形成装置は、感光体１の軸１ａを支持する支持部材３ａと、潜像装置２を取り付ける配置部材３ｂとが一体的なフレーム３として構成されている点で第１実施形態と共通するが、このフレーム３を本体筐体Ａに保持する保持部材４が弾性部材Ｄを介して本体筐体Ａに取り付けられている点で相違する。
【００３０】
つまり、フレーム３を保持する保持部材４は、位置決めピンＰ１によって本体筐体Ａへ位置決めされているが、この位置決めピンＰ１に挿入された状態で保持部材４と本体筐体Ａとの間に弾性部材Ｄが挟まれる状態となっている。
【００３１】
弾性部材Ｄとしては例えばゴム状や樹脂状のものが適用される。この弾性部材Ｄが本体筐体Ａと保持部材４との間に設けられていることで、本体筐体Ａ側から伝わる振動を弾性部材Ｄで吸収し、保持部材４からフレーム３を介して感光体１および潜像装置２へ伝わることを防止できるようになる。
【００３２】
このフレーム３は、第１実施形態と同様に保持部材４を本体筐体Ａの位置決めピンＰ１から外して引き出すことによって本体筐体Ａ内から外部へ抜き出すことができるようになっている。これによって、フレーム３とともに感光体１および潜像装置２を同時に取り出すことができる。
【図面の簡単な説明】
【００３３】
【図１】第１実施形態の画像形成装置を説明する概略断面図である。
【図２】装着状態と取り外し状態とを示す概略斜視図である。
【図３】取り外しの状態を説明する概略断面図である。
【図４】第２実施形態の画像形成装置を説明する概略断面図である。
【図５】従来例を説明する概略断面図である。
【符号の説明】
【００３４】
１…感光体、２…潜像装置、３…フレーム、３ａ…支持部材、３ｂ…配置部材、４…保持部材、Ａ…本体筐体、Ｂ…ベアリング、Ｄ…弾性部材
【図１】
2004246374.tif 000003
【図２】
2004246374.tif 000004
【図３】
2004246374.tif 000005
【図４】
2004246374.tif 000006
【図５】
2004246374.tif 000007